(57)【要約】【課題】  被写体の人物がずっと仏頂面でいつまでたっても笑顔にならない場合にも、被写体の人物の笑顔を撮影することが可能なカメラを提供することを目的とする。【解決手段】  本発明では、コンテンツ提示部１１で被写体の人物に落語コンテンツ等を聞かせて、被写体の人物に自然に笑顔を作らせるように誘導または笑わせるように仕向け、被写体の人物が思わず笑顔になるタイミングを自動シャッター部１２で自動検知してシャッターを切るので、撮影開始直後には被写体の人物が仏頂面であったとしても、当該人物の笑顔を撮影することが可能となる。【選択図】      図１
2009253885.tif 000002
【特許請求の範囲】
【請求項１】
ユーモアに関連するコンテンツを被写体の人物に聞かせたり見せたりするコンテンツ提示部と、被写体の人物の笑顔を自動検知してシャッターをきる自動シャッター部を備えることを特徴とする笑顔撮影装置。
【請求項２】
コンテンツ提示部にスピーカーを有することを特徴とする請求項１記載の笑顔撮影装置。
【請求項３】
コンテンツ提示部にディスプレイパネルを有することを特徴とする請求項１または請求項２のいずれかに記載の笑顔撮影装置。
【請求項４】
コンテンツ提示部にインターネットからコンテンツを取得する機能を有することを特徴とする請求項１または請求項２または請求項３のいずれかに記載の笑顔撮影装置。
【請求項５】
コンテンツ提示部は同じ被写体に一度提示したことのあるコンテンツを提示しない機能を有することを特徴とする請求項１または請求項２または請求項３または請求項４のいずれかに記載の笑顔撮影装置。
【請求項６】
コンテンツ提示部は被写体が笑う可能性の高いコンテンツを選択的に提示する機能を有することを特徴とする請求項１または請求項２または請求項３または請求項４または請求項５のいずれかに記載の笑顔撮影装置。
【請求項７】
ユーモアに関連するコンテンツは落語であることを特徴とする請求項１または請求項２または請求項３または請求項４または請求項５または請求項６のいずれかに記載の笑顔撮影装置。
【請求項８】
ユーモアに関連するコンテンツはショートコントであることを特徴とする請求項１または請求項２または請求項３または請求項４または請求項５または請求項６または請求項７のいずれかに記載の笑顔撮影装置。
【請求項９】
ユーモアに関連するコンテンツは駄洒落であることを特徴とする請求項１または請求項２または請求項３または請求項４または請求項５または請求項６または請求項７のいずれかに記載の笑顔撮影装置。
【請求項１０】
ユーモアに関連するコンテンツはインターネットからダウンロードして用いることを特徴とする請求項１または請求項２または請求項３または請求項４または請求項５または請求項６または請求項７のいずれかに記載の笑顔撮影装置。
【発明の詳細な説明】
【技術分野】
【０００１】
本発明はカメラ技術に関し、特に人の笑顔を撮影可能なカメラ技術に関する。
【背景技術】
【０００２】
人の顔を自動検知し、その顔が笑顔になったかどうかを画像処理によって自動判定して、笑顔になったと判定されたときに自動的にシャッターを切ることにより笑顔を逃さず撮影可能とする技術が知られている。しかし、被写体の人物がずっと仏頂面でいつまでたっても笑顔にならない場合には、自動的にシャッターを切ることができなかったり、被写体の人物の笑顔を撮影することができないという課題があった。
【発明の開示】
【発明が解決しようとする課題】
【０００３】
そこで、本発明は、このような従来の問題点を改善し、被写体の人物に自然に笑顔を作らせるように誘導して笑顔になったときを自動検知してシャッターを切ることで、被写体の人物の笑顔を撮影することが可能なカメラを提供することを目的とする。
【課題を解決するための手段】
【０００４】
前述の課題を解決するため、本発明の笑顔撮影装置（図１）は、ユーモアに関連するコンテンツを被写体の人物に見せたり聞かせたりして笑わせることにより被写体の人物に自然に笑顔を作らせるように誘導するコンテンツ提示部１１と、被写体の人物の笑顔を自動検知してシャッターをきる自動シャッター部１２と、映像を撮影する撮影部１３と、撮影した映像を記録する記録メディア部１４と、ピントを調節したりズームを調整するレンズ部１５を備えて構成されることにより上記従来の技術の課題を解決している。
【発明の効果】
【０００５】
以上説明したように本発明では、被写体の人物が仏頂面であっても被写体の人物にコンテンツ提示部１１で落語コンテンツ等のユーモアコンテンツを提示して、被写体の人物を笑わせるように仕向け、被写体の人物が思わず笑顔になるタイミングを自動シャッター部１２で自動検知してシャッターを切るので、撮影開始直後には被写体の人物が仏頂面であったとしても、当該人物の笑顔を撮影することが可能となる。
【発明を実施するための最良の形態】
【０００６】
本発明の動作について詳細に説明する。
【０００７】
図１のように、本発明ではユーモアに関連するコンテンツを被写体の人物に見せたり聞かせたりして笑わせることにより被写体の人物に自然に笑顔を作らせるように誘導するコンテンツ提示部１１と、被写体の人物の笑顔を自動検知してシャッターをきる自動シャッター部１２と、映像を撮影する撮影部１３と、撮影した映像を記録する記録メディア部１４と、ピントを調節したりズームを調整するレンズ部１５を備えている。
【０００８】
コンテンツ提示部１１は内部にコンテンツメディア部１１１とコンテンツ再生部１１２とコンテンツ管理部１１３を持つ。コンテンツメディア部１１１は例えばフラッシュメモリやＳＤカード、カセットテープ等の通常の記録媒体からなり、例えば落語の音声のコンテンツやショートコントや駄洒落などが記録されている。
【０００９】
また、映像コンテンツも記録することができる。また、コンテンツメディア部１１１は、記録媒体を用いずにインターネットから情報を得る構成にすることもできる。コンテンツ再生部１１２はコンテンツメディア部１１１から読み込んだ情報をスピーカーで再生する機能を有しており、通常のデジタル音声再生プレイヤーやカセットテーププレイヤーとスピーカーで構成することが可能である。
【００１０】
また、ディスプレイパネルも備えることができ、映像コンテンツを表示することも可能である。コンテンツ管理部１１３では、被写体となる人物に提示するコンテンツを選択する。例えば、ランダムにコンテンツを選んで提示することも可能であるし、被写体となる人物に過去に一度でも聞かせたり見せたことのあるコンテンツを提示しないように制御することも可能である。
【００１１】
コンテンツ管理部１１３は、撮影したことのある人物の顔を記録しておき、その人物の撮影時に聞かせたり見せたコンテンツ情報も同時に記録しておく。今撮影しようとしている人物が過去に撮影したことのある人物と同一人物であると判定された場合、当該人物に聞かせたり見せたことのあるコンテンツは提示しないように制御することができる。
【００１２】
コンテンツ管理部１１３は通常のＣＰＵとメモリで構成することができ、撮影しようとしている人物が過去に撮影したことのある人物と同一人物かどうかを判定する機能は、通常の顔検出方式と顔認識方式を用いて実現可能である。また、コンテンツ管理部１１３は、被写体となる人物が過去に笑った履歴を参照し当該人物が最も笑う可能性のあるコンテンツを選択して提示することができる。
【００１３】
例えば、被写体となる人物が過去に落語で笑うことが多かったという履歴があれば落語のコンテンツを選択するように制御することができる。人の笑顔を撮影する際には、まず始めに被写体となる人物に落語などのユーモアのコンテンツを聞かせたり見せたりして笑う機会を増やすことを行う。
【００１４】
カメラに内蔵された自動シャッター部１２は、笑顔検出部１２１を持ち、笑顔検出部１２１で被写体の人物の顔を自動検知し、その顔が笑顔になったかどうかを画像処理によって自動判定する。笑顔検出部１２１は、被写体人物が笑顔になったと判定したならば、シャッター信号を出力する。自動シャッター部１２は、笑顔検出部１２１の出力したシャッター信号によってシャッターを切る。
【００１５】
この機能は、スマイルシャッター等を用いれば良い。映像を撮影する撮影部１３や撮影した映像を記録する記録メディア部１４やピントを調節したりズームを調整するレンズ部１５は通常のデジタルカメラの技術によって容易に構成可能である。レンズ部１５は、笑顔検出部１２１で検出された笑顔に自動的にピントや絞りを調整することができる。
【００１６】
この調整機能は通常のオートフォーカスやオートアイリス技術で容易に構成可能である。記録メディア部１４は、通常の記録メディアで構成することも可能であるが、記録媒体を用いずにインターネット上に情報を記録する構成にすることもできる。
【図面の簡単な説明】
【００１７】
【図１】本発明の第一の実施例による笑顔撮影装置のブロック図である。
【符号の説明】
【００１８】
１１    コンテンツ提示部
１１１    コンテンツメディア部
１１２    コンテンツ再生部
１１３    コンテンツ管理部
１２    自動シャッター部
１２１    笑顔検出部
１３    撮影部
１４    記録メディア部
１５    レンズ部
【図１】
2009253885.tif 000003